(57)【特許請求の範囲】
【請求項１】
深部体温モニタリングシステムであって、
深部体温の第１温度計と；
熱流束センサを含む第２温度計であって、前記熱流束センサは経時的な温度モニタリングを提供するために構成され、かつ皮膚への適用のためのパッドを含む、第２温度計と；
初期測定動作中の前記第１温度計からの出力と、前記第２温度計によって行われた測定値を使用して、被検体の身体の熱抵抗を決定することによって前記第２温度計を較正するコントローラと；
を備え、前記第１温度計は前記第２温度計に取り外し可能に取り付けられ、前記第１温度計は前記第２温度計に取り付けられている間に前記深部体温を測定するように適合され、前記第２温度計は前記第１温度計から取り外されているときに前記経時的な温度モニタリングを提供するように適合される、
システム。
【請求項２】
前記第２温度計は、前記皮膚への適用のための第１温度センサと、既知の熱抵抗率の断熱層によって前記第１温度センサから間隔を置かれる第２温度センサとを含む、
請求項１に記載のシステム。
【請求項３】
前記第１温度計は直腸温度計を含む、
請求項１又は２に記載のシステム。
【請求項４】
前記第１温度計と前記第２温度計との間の接続は、前記第１温度計から前記第２温度計へのデータ接続並びに機械的接続を提供する、
請求項１に記載のシステム。
【請求項５】
前記第２温度計は電源を含み、前記第１温度計と前記第２温度計との間の前記接続は、前記電源から前記第１温度計の電力供給を提供する、
請求項４に記載のシステム。
【請求項６】
前記第２温度計は、前記第１温度計の使用のためのハンドルとして機能する、
請求項１乃至５のいずれか１項に記載のシステム。
【請求項７】
前記第２温度計は、前記皮膚に対して前記パッドを取り付けて保持するための固定部を含む、
請求項１乃至６のいずれか１項に記載のシステム。
【請求項８】
前記第２温度計の読取値及び任意選択で前記第１温度計の読取値をリモートデバイスに送信するための無線送信機を含む、
請求項１乃至７のいずれか１項に記載のシステム。
【請求項９】
深部体温モニタリングの方法であって：
初期測定動作として、深部体温の第１温度計が、熱流束センサを含む第２温度計に取り付けられた状態で、被検体の深部体温を測定するステップと；
前記第１温度計を前記第２温度計から取り外すステップと；
前記第２温度計を前記被検体の皮膚に適用するステップと；
前記初期測定動作の間の前記第１温度計からの前記深部体温の測定値と、前記第２温度計により行われる測定値を使用して、前記被検体の身体の熱抵抗を決定することによって、前記第２温度計を較正するステップと；
前記第２温度計を使用して経時的な温度モニタリングを提供するステップと；
を含む、方法。
【請求項１０】
前記第１温度計は直腸温度計である、
請求項９に記載の方法。
【請求項１１】
前記第１温度計が前記第２温度計に取り付けられている間に、前記第２温度計を、前記第１温度計の使用のためのハンドルとして使用するステップ、
を含む、請求項９又は１０に記載の方法。
【請求項１２】
前記第２温度計を、衣類又はおむつのウエストバンドの縁に取り付けるステップ、
を含む、請求項９乃至１１のいずれか１項に記載の方法。
【請求項１３】
前記第２温度計からリモートデバイスに温度測定値を無線送信するステップ、
を含む、請求項９乃至１２のいずれか１項に記載の方法。
【発明の詳細な説明】
【技術分野】
【０００１】
本発明は、特に表面実装型の温度センサを使用する、深部体温の測定に関する。
【背景技術】
【０００２】
深部体温（ＣＢＴ：Core  body  temperature）はバイタルサインとして病院の多くの部分だけでなくホームモニタリングにおいても重要である。
【０００３】
本発明は、ホームモニタリングの用途、具体的にはベビーモニタリングに特に関心がある。
【０００４】
親が子供の健康を疑うとき、情報探索は主にインターネット上で行われるが、成功は限られる。多くの場合、情報の量は圧倒的であり、更なる不安と不確実性を生むことさえある。
【０００５】
過去１０年間にわたって小児救急部門の相談は約４０％増加し、またプライマリケア及び時間外サービスの使用も大幅に増加していることが報告されている。
【０００６】
体温は、両親とＧＰの双方によって病気の子供の重症度を決定及び追跡するための有意な指標として見られ、追跡すべき主なパラメータとして選択される。一般に、子供が病気に苦しんでいるかどうかを親が疑うとき、彼らは、子供の頭や首に手を置いて子供が通常より暖かいかどうかを判断する。子供が異常に暖かいと感じる場合、直腸又は耳の体温計で体温を測定することにより子供が発熱している可能性があるかどうかを判断しようとする。
【０００７】
発熱症状の場合、調査では、３分の１の親が４時間以上に１回子供の熱を測り、４分の１の親が１〜２時間に１回、また５分の１の親が３０分に１回子供の熱を測ることが示されている。子供の深部体温を測定する頻度も熱の高さの影響を受ける。多くの親は、小さい子供が非常に高い熱を出す可能性があるという事実には精通しているが、それでもなお気になる。
【０００８】
子供が発熱していると判断された後、温度モニタリング・ウェアラブルデバイスを使用して発熱の追跡を維持することができる。特に、親が夜間に熱のある子供を寝かせるとき、連続的な温度モニタリングを使用して、体温が一定の限度に達した場合、あるいは熱性痙攣を検出する可能性さえある場合に親に警告することができる。
【０００９】
皮膚の上で深部体温を連続的に測定するよう求める既存のホームモニタリング・ウェアラブル製品は、非常に不正確である。市場には、体温を連続的に追跡することができる入手可能な製品はあるが、快適性と信頼性の問題もある。最も重要な要件のうちの２つは、ウェアラブル製品が、子供にとって着用が快適なものであるべきことに加えて、子供が既に感じている不快感に付け加えないような方法でウェアラブル製品が子供に対して着脱されるべきであるということである。
【００１０】
ＣＢＴを測定するための商的に利用可能な選択には、侵襲性直腸プローブ又はゼロ熱流束（zero  heat  flux）を伴うアプローチが含まれる。これは、エレクトロニクスを使用して完全な断熱材（insulator）を作成する方法である。最近、３Ｍ（登録商標）は、この技術をＣＢＴ測定のために使用するＳｐｏｔ−Ｏｎセンサを導入した。控えめではあるが、この技術の欠点は、流れをゼロに保つための制御ループと加熱素子の要件があり、この要件は、この技術を、ウェアラブル感知ソリューションに統合するための難しい選択肢にする。３Ｍ製品は主に家庭ではなく病院内で使用される。
【００１１】
熱流束の受動感知を使用するＣＢＴの測定も選択肢であり、以前に例えばGunga、Hanns-Christian等らによる非特許文献１に説明されている。
【００１２】
受動感知は、断熱材料（insulating  material）によって分離される少なくとも２つの温度センサを使用することにより熱流束を測定することに依存する。受動感知に基づくセンサの例を図１に示す。
【００１３】
身体（body）は層１０として示されており、測定される深部体温はＴ０である。センサは断熱層１２を備え、断熱層１２は、皮膚に対する第１温度センサ１４と、断熱層１２の反対側にある第２温度センサ１６を有する。皮膚表面の温度センサは温度Ｔ１を測定し、外側にある温度センサは温度Ｔ２を測定する。
【００１４】
深部体温Ｔ０は以下の式によって計算される：
【数１】
0006452896.tif 000002
【００１５】
受動ＣＢＴ測定を行う２つの主な方法、すなわち単一の熱流束センサ又はデュアル熱流束センサを使用する方法が存在する。
【００１６】
単一の熱流束アプローチは、リモートエリアの体温測定を行うための最も簡単な方法である。単一の熱流束法は、図１に図示されるような断熱材料によって分離される２つの温度センサのみを必要とする。断熱材料の熱抵抗率Ｒがわかる場合、式２を使用して２点間の熱流（heat  flow）を計算することができる：
【数２】
0006452896.tif 000003
【００１７】
熱抵抗率Ｒは式３によって与えられる：
【数３】
0006452896.tif 000004
ここで、ｌは、体温を取る点の間の距離であり、ｋは材料の熱伝導率である。
【００１８】
図１の層が、一定の厚さの無限幅の材料シートであると仮定すると、熱流は垂直方向だけである。同じ流束は両方の材料を通って流れ、式４によって与えられる：
【数４】
0006452896.tif 000005
これを式５のように書き換えることができる：
【数５】
0006452896.tif 000006
【００１９】
Ｒ１は、センサ内で使用される材料の既知の熱抵抗率である。身体の熱抵抗率Ｒ０が既知である場合、Ｔ０を測定するためにこの方法を使用することができる。しかしながら、これらの条件では、熱流は横方向だけであるので、これらの計算は無限幅の材料シートについてのみ有効である。実際には、計算に不完全性をもたらすことになる側方成分（lateral  component）も存在するであろう。一般的な方法は、固定の測定部位を使用し、センサの下の人体組織の熱抵抗率を推定することである。これは実際には難しい可能性がある。
【００２０】
１つの選択肢は、身体の熱抵抗率（Ｒ０）について固定の平均値を使用することである。これは未知の身体の熱抵抗率に対処する１つの方法であるが、値は各人によって異なる。ＣＢＴ計算は身体の熱抵抗率によって直接影響され、その結果、身体の固定の熱抵抗が使用される場合、身体抵抗の変動は完全に無視されることになり、これによりＣＢＴ推定における誤差が生じる。
【００２１】
特許文献１（米国特許出願公開２００６／００５６４８７号明細書）は、２つの流束センサを使用する深部体温モニタリングシステムを開示しており、２つの流束センサの異なる特性は、身体の深部エリアから身体表面までの部分における未知の熱抵抗を相殺することを可能にする。また、既知の温度計からの測定値もシステムによって使用されることも示唆されている。これは、ユーザによって必要とされる複数の部分及び異なる操作を伴う、より複雑なシステムを提供する。
【先行技術文献】
【特許文献】
【００２２】
【特許文献１】米国特許出願公開２００６／００５６４８７号明細書
【非特許文献】
【００２３】
【非特許文献１】Gunga,  Hanns-Christian等著「A  non-invasive  device  to  continuously  determine  heat  strain  in  humans.」（Journal  of  Thermal  Biology  33.5  (2008):  297-307）
【発明の概要】
【発明が解決しようとする課題】
【００２４】
したがって、ユーザにとって簡単な深部体温の測定に対する正確なアプローチが必要である。
【課題を解決するための手段】
【００２５】
本発明は特許請求の範囲によって定義される。
【００２６】
本発明の態様に係る例によると、深部体温モニタリングシステムが提供され、このシステムは：
深部体温の第１温度計（first,  core  body  temperature,  thermometer）と；
熱流束センサを含む第２温度計であって、熱流束センサは経時的な温度モニタリングを提供するために皮膚への適用のためのパッドを含む、第２温度計と；
初期測定動作中の第１温度計からの出力を使用して第２温度計を較正するコントローラと；
を備え、第１温度計は第２温度計に取り外し可能に取り付けられ、第１温度計は第２温度計に取り付けられている間の使用のために適合され、第２温度計は第１温度計から取り外されるときの使用のために適合される。
【００２７】
このシステムは、初期の深部体温測定を使用することにより、皮膚に適用される流束センサの較正を提供する。このようにして、典型的な深部体温の温度計の機能性及び使用が、ウェアラブルな連続モニタリング能力と組み合わされる。全体的なシステム全体は、ユーザが標準的な深部体温の温度計を操作する方法に対する最小限の変更のみを要する単一の製品である。
【００２８】
深部体温は、人によって異なる熱的の身体抵抗（thermal  body  resistance）の良好な推定を可能にすることによって較正を可能にする。この抵抗を人毎に測定することができるので、システムを使用する特定の手順に従うことによって、個人間のこの抵抗の変動が補償される。したがって、コントローラは、例えば身体及び皮膚の熱抵抗（すなわち、測定すべき深部体温と皮膚上のセンサとの間の熱経路）を決定し、それによって第２温度計を較正するように適合される。
【００２９】
第１温度計を第２温度計に取り外し可能に取り付けるように配置し、第２温度計に取り付けたまま第１温度計を使用することにより、ユーザは単一のデバイスを使用する。（第２温度計を使用する）温度モニタリングが必要とされることを深部体温測定が示さない場合、システムはそれ以上使用されず、将来の使用のためにクリーニングされる。（第２温度計を使用する）温度モニタリングが適切であることを深部体温測定が示す場合、２つの温度計が分離されて第２温度計が使用される。次いで、別の時間の使用のために第１温度計をクリーニングすることができる。
【００３０】
第２温度計は、皮膚への適用のための第１温度センサと、既知の熱抵抗率の層によって第１温度センサから間隔を置かれる第２温度センサとを含んでよい。これにより、単一の流束センサが提供される。実際、較正手順の結果として１つの流束センサのみが必要とされる。
【００３１】
深部体温の第１温度計は直腸温度計を含んでよい。
【００３２】
第１温度計と第２温度計との間の接続は、好ましくはデータ接続並びに機械的接続を提供する。したがって、深部体温の第１温度計は較正の目的のためにそのデータを第２温度計に自動的に送信する。
【００３３】
第２温度計は電源を含んでよく、第１温度計と第２温度計との間の接続は、電源から第１温度計の電力供給を提供する。したがって、デバイス全体で単一の電源を有する。
【００３４】
第２温度計は、例えば深部体温の第１温度計の使用のためのハンドルとして機能する。
【００３５】
第２温度計は、皮膚に対してパッドを取り付けて保持するための固定部（fixing）を含んでよい。一例では、固定部は、衣類又はおむつのウエストバンドの縁の上に取り付けるためのクリップを含む。したがって、ウエストバンドによって皮膚に対してこれを押し付けて、長期間のモニタリングの間、例えば数日又は数週間もの間、その場所に留まることができる。
【００３６】
好ましくは、第２温度計の読取値をリモートデバイスに送信するための無線送信機が提供される。リモートデバイスは、適切なアプリを有するモバイルフォン又は他のポータブルデバイスであってよい。その後、夜間であっても、システムのユーザにアラート又はワーニングを提供することができる。
【００３７】
本発明の別の態様に係る例は、深部体温モニタリング方法を提供し、この方法は：
初期測定動作として深部体温の第１温度計を使用して深部体温測定値を取るステップであって、第１温度計は、熱流束センサを含む第２温度計に取り付けられるステップと；
第１温度計を第２温度計から取り外すステップと；
第２温度計を皮膚に適用するステップと；
初期測定動作中の第１温度計からの出力と第２温度計により行われる測定を使用して第２温度計を較正するステップと；
第２温度計を使用して経時的な温度モニタリングを提供するステップと；
を含む。
【００３８】
この方法は、単一の初期深部体温測定値を較正として提供することにより、皮膚表面センサを使用して正確な温度モニタリングを提供する。
【００３９】
皮膚の熱抵抗を測定し、それにより第２温度計を較正してもよい。深部体温測定は、例えば直腸温度計を使用して実施される。
【００４０】
深部体温測定が、第２温度計に取り付けられた深部体温の第１温度計で行われ、その後、第２温度計が取り外される。したがって、ユーザのためのデバイスは１つだけである。第２温度計は、衣類（例えば下着）又はおむつのウエストバンドの縁の上に取り付けられてよい。
【図面の簡単な説明】
【００４１】
本発明の実施例を添付の図面を参照して詳細に説明する。
【図１】単一の温度流束センサがどのように機能するかを説明するために使用される図である。
【図２】深部体温センサシステムを示す図である。
【図３】皮膚取り付けセンサの設計をより詳細に示す図である。
【図４】おむつウエストバンドにクリップ留めされた皮膚装着型センサを有する赤ん坊を示す図である。
【図５】リモートデバイスと通信する図２のシステムを示す図である。
【図６】深部体温感知方法を示す図である。
【発明を実施するための形態】
【００４２】
本発明は、深部体温モニタリングシステム及び方法を提供し、このシステムは、深部体温の第１温度計と、熱流束センサを含む第２温度計とを備える。第２温度計は、経時的な温度モニタリングを提供するために皮膚への適用のためのものである。第２温度計は、初期測定動作中の第１温度計からの出力を使用して較正される。第１温度計は第２温度計に取り外し可能に取り付けられ、第１温度計は第２温度計に取り付けられている間の使用のために適合され、第２温度計が使用されるときに取り外される。
【００４３】
このシステムは、初期深部体温測定を使用することによって、皮膚に適用される流束センサの較正を提供する。このようにして、典型的な深部体温の温度計の機能性及び使用が、ウェアラブルな連続モニタリング能力と組み合わされる。
【００４４】
図２は、深部体温モニタリングシステムの例を示す。
【００４５】
システムは、深部体温の第１温度計２０と、熱流束センサを備える第２温度計２２を備える。
【００４６】
第１温度計２０は、第２温度計２２に取り外し可能に取り付けられる。２つとも取り付けられるとき、図２の上部に示されるように、第１温度計２０が使用されることになる。この構成では、第２温度計２２は第１温度計のためのハンドルとして機能する。
【００４７】
第２温度計は、第１温度計によって行われた測定を表示するためのディスプレイ画面２４を備えてよい。しかしながら、以下の説明から明らかになるように、これは完全に任意である。
【００４８】
この例は、第１温度計２０を直腸温度計として示すが、経口又は腋下の温度計であってもよい。これは、外部皮膚温度を測定するのではなく、既知の方法で内部の深部体温の直接測定値を得る。
【００４９】
第１温度計は、例えば小児の体温の抽出検査（spot  check）に使用され、連続的なモニタリングには使用されない。抽出検査により、体温モニタリングが適切であることが明らかになる場合、第２温度計２２がこの目的のために使用される。第２温度計は、上述した一般的なタイプの流束センサを備え、皮膚に適用するためのものである。第２温度計を使用するためには、図２の下部に示されるように、第１温度計が取り外さえる。
【００５０】
体温の抽出検査は、体温測定としてだけでなく、第２温度計２２の較正ステップとしても機能する。特に、既知の深部体温Ｔ０を用いて、式５を使用して身体の抵抗Ｒ０を計算することが可能になる。
【数６】
0006452896.tif 000007
【００５１】
したがって、流束センサの測定値Ｔ１とＴ２、既知の深部体温Ｔ０及び流束センサ自体の断熱材の既知の熱抵抗Ｒ１の組合せにより、身体の熱抵抗Ｒ０を導出し、次いで第２温度計からの全ての将来の読取値を較正するために使用することが可能になる。
【００５２】
第２温度計は、初期の抽出検査測定中の第１温度計からの出力を使用して第２温度計を較正するためのコントローラを有する。
【００５３】
データ収集は完全に自動化されており、ユーザの関与を必要としない。代わりに、第１温度計が使用されるたびに、測定された温度を最新の値として記憶する。この目的のために、２つの温度計の間の接続は、これらの間のデータリンクを提供する。コントローラは、例えば第２温度計のハウジングに取り付けられる。
【００５４】
第２温度計を使用するとき、最新の深部温度測定値が較正に使用される。システムは、２つの部分の切断を検出したことに基づいて、あるいは第２温度計による適切な範囲の温度の感知に基づいて、あるいはユーザが第２温度計を活性化したこと（すなわち、ターンオンしたこと）により、第２温度計が使用されていることを検出することができる。
【００５５】
第２温度計は、皮膚に適用するためのものである。これは、例えば上述したような、よく知られているような流束センサである。例えば皮膚への適用のための第１温度センサと、既知の熱抵抗率の層によって第１温度センサから間隔を置かれる第２温度センサとを備える。１つの流束センサのみが必要とされる。
【００５６】
図３は、衣類又はおむつのウエストバンドの縁に取り付けるための第２温度計２２の設計の一例を示している。
【００５７】
図３は赤ん坊の皮膚を３０として示している。第２温度計は、おむつ３４の縁の上にクリップ留めされ、このため皮膚に対して押し付けられるハウジング３２を備える。ハウジングの内面は流束センサ３６を担持する。第２温度計２２の取り付けは、図４においてより一般的に見ることができる。
【００５８】
当然、第２体温計は、衣服への取り付けにより、あるいは例えばストラップ又は接着パッチを用いた被検者への取り付けにより、他の方法で被検者の胸部、ウエスト又は手足の上に取り付けられてもよい。任意の適切な固定方法を使用してよい。
【００５９】
第２温度計２２に取り外し可能に取り付けられる第１温度計２０を配置し、第２温度計に取り付けられた状態で使用することにより、ユーザは単一のデバイスを使用する。
【００６０】
抽出検査で（第２温度計を使用する）温度モニタリングが必要とされることが示されない場合、システムはこれ以上使用されず、将来の使用のためにクリーニングされる。深部体温測定で（第２温度計を使用する）温度モニタリングが適切であることが示される場合、２つの温度計は分離されて第２温度計が使用される。次いで、別の時間での使用のために第１温度計をクリーニングすることができる。
【００６１】
図５は、システム内のコンポーネントの一例を示している。
【００６２】
第１温度計２０は、第２温度計２２内の電源５２によって電力供給される温度センサ５０を備える。この接続はこの目的のための電力線接続を含む。温度センサ５０からの出力データもデータ線上で第２温度計２２へ供給される。データ接続は無線であり、第１温度計がそれ自身の電源を有することも可能であることに留意されたい。そのような場合、接続は完全に機械的である可能性がある。
【００６３】
第２温度計は、電源（バッテリ）５２、コントローラ５４、メモリ５６、無線送信機（及び任意選択で受信機）５８及びフラックス温度センサ６０を備える。無線送信機は、Bluetooth（登録商標）又はWi-Fiのような任意の適切なプロトコルを使用することができる。
【００６４】
メモリは、第１温度計２０からの深部体温測定値を記憶するだけでなく、後の通信のため又は体温測定値の変化率をプロファイリングするための連続モニタリング温度データの履歴も記憶する。このデータ記憶は追加又は代替的に、リモートデバイス６２（後述）によって実行されてもよい。
【００６５】
コントローラは、較正機能と、２つの温度計の接続や切断の検出等の任意の他のシステム機能を実行する。
【００６６】
体温測定値は、体温データを解釈して表示するのに適したアプリを有するスマートフォン等のリモートデバイス６２に無線で送信される。デバイス６２は、たとえ夜間であっても、システムのユーザにアラート又はワーニングを提供することができる。
【００６７】
デバイス６２は、例えば無線接続を介してデータがどの位の頻度で提供されるか（例えば数分毎又は毎時）を指定するよう体温計を構成するために使用されてもよい。
【００６８】
図６は第２温度計２２の一部としてのディスプレイを示す。これはリモートデバイスが使用されてよいという点で任意である。しかしながら、抽出検査について、オンボードディスプレイは、ユーザにとって更なる使用の容易性を提供する。連続モニタリングでは、リモートデバイス上のディスプレイがより便利である。
【００６９】
このシステムは、抽出検査温度計（直腸温度計等）と連続測定温度計を有する、組合せの深部体温測定システムを提供する。親は赤ん坊の直腸温の測定に精通しているので、この最初の抽出検査段階は親にとっては非常に自然なものと考えられる。
【００７０】
図６に深部体温モニタリング方法を示す。この方法は、被検体（例えば赤ん坊又は幼児）が異常行動を示すときに開始される。
【００７１】
ステップ７０において、システムのユーザ（例えば乳児の親）は最初に、額及び首に触れて赤ん坊をチェックする。赤ん坊が通常より暖かいと感じる場合、方法はステップ７２に進む。
【００７２】
ステップ７２において、ユーザは、最初の抽出検査動作として第１の深部体温の体温計を使用して深部体温測定を行う。測定された温度を、システムのディスプレイ画面上又はスマートフォン等のリモートデバイス上で局所的に見ることができる。
【００７３】
抽出検査で深部体温が高いことが明らかになる場合、連続モニタリングを提供するという決定がなされる。
【００７４】
ステップ７４において、第１温度計を第２温度計から取り外す。この結果、小型のウェアラブルで衛生的な第２温度計となる。第２温度計は、ステップ７６において、例えばおむつ又は下着の上にクリッピングすることにより皮膚に適用される。流束センサが皮膚に適用される。
【００７５】
システムは、ステップ７８において、最初の測定動作中の第１温度計からの出力と第２温度計によって行われた測定値を使用して自動的に較正を実行する。この較正は、本質的に身体の熱抵抗Ｒ０を計算することを含む。その後、流束センサは、深部体温の信頼できる推定値を提供することができる。
【００７６】
ステップ８０において、第２温度計を使用して経時的な温度モニタリングを提供する。リモートデバイスは、例えば温度が設定された限界に達すると警報を出すことができる。
【００７７】
抽出検査は、被検体毎に１回しか実施する必要がなく、その後の連続測定期間の間中（最大で数週間になることがある）有効であることに留意されたい。
【００７８】
処理能力は、体温計装置又はリモートデバイス内にあってもよく、共有されてもよい。極端な場合には、温度計は単に全ての生データをリモートデバイスに送信し、リモートデバイスがリモートアプリを使用して全ての計算とデータ処理を実行する。アプリは全体の手順を制御し、システムが別の赤ん坊又は子供のために使用される場合には熱的な身体抵抗を再度決定することを確実にする。
【００７９】
他の場合には、全ての処理が温度計構成内で実行され、リモートデバイスは単にリモートディスプレイ及び警報システムとして機能する。
【００８０】
処理は、ローカルコントローラとリモートコントローラの間で任意の方法で分割されてよい。
【００８１】
上述したように、実施形態はコントローラを利用する。コントローラは、必要な様々な機能を実行するために、ソフトウェア及び／又はハードウェアとともに多数の方法で実装されることができる。プロセッサは、必要な機能を実行するようにソフトウェア（例えばマイクロコード）を使用してプログラムすることができる、１つ以上のマイクロプロセッサを用いるコントローラの一例である。しかしながら、コントローラは、プロセッサを用いて又は用いることなく実装されてもよく、また、一部の機能を実行するための専用ハードウェアと、他の機能を実行するプロセッサ（例えば１つ以上のプログラムされたマイクロプロセッサ及び関連する回路）の組合せとして実装されてもよい。
【００８２】
本開示の様々な実施形態で使用され得るコントローラコンポーネントの例は、従来のマイクロプロセッサ、特定用途向け集積回路（ASIC）及びフィールドプログラマブルゲートアレイ（FPGA）を含むが、これらに限定されない。
【００８３】
様々な実施形態において、プロセッサ又はコントローラは、RAM、PROM、EPROM及びEEPROMといった揮発性及び不揮発性コンピュータメモリ等の１つ以上の記憶媒体に関連付けられよい。記憶媒体は、１つ以上のプロセッサ及び／又はコントローラ上で実行されると、必要とされる機能で実行する１つ以上のプログラムで符号化されてよい。様々な記憶媒体は、プロセッサ又はコントローラ内に固定されてもよく、そこに記憶された１つ以上のプログラムをプロセッサ又はコントローラにロードすることができるように移動可能であってもよい。
【００８４】
開示された実施形態に対する他の変更は、図面、開示及び添付の特許請求の範囲の研究から、特許請求に係る発明を実施する際に当業者によって理解され、達成され得る。特許請求の範囲において、「含む（comprising）」という単語は他の要素又はステップを排除するものではなく、不定冠詞「a」又は「an」は複数を除外しない。特定の手段が相互に異なる従属請求項に記載されているという単なる事実は、これらの手段の組合せを有利に使用することができないことを示すものではない。特許請求の範囲における全ての参照符号は、その範囲を限定するものとして解釈されるべきではない。
【図１】
0006452896.tif 000008
【図２】
0006452896.tif 000009
【図３】
0006452896.tif 000010
【図４】
0006452896.tif 000011
【図５】
0006452896.tif 000012
【図６】
0006452896.tif 000013